(57)【要約】【課題】液体供給ユニットの液体噴射装置に対する装着性を向上させる技術を提供する。【解決手段】第１と第２のカートリッジ１００ａ，１００ｂは、印刷装置１０のキャリッジ２７にホルダー部２００を介して装着される。ホルダー部２００は、回転移動することによって第１と第２のカートリッジ１００ａ，１００ｂの主係合部１２０に係合するレバー部２３０を有する。第１と第２のカートリッジ１００ａ，１００ｂは、ホルダー部２００に装着されるときに、レバー部２３０を押圧して前方側に回転移動させる第１側壁部１２５と第２側壁部１２６とを有する。レバー部２３０の回転軸ＲＸは、第１と第２のカートリッジ１００ａ，１００ｂが装着されるときには、第１側壁部１２５と第２側壁部１２６よりもインク供給口１１０，１１０ａに近い位置にある。【選択図】図３
2018027709.tif 000002
【特許請求の範囲】
【請求項１】
回転の支点と第１被押圧部と第２被押部とを含む回転機構と、液体を導入可能な液体導入管と、を有する液体噴射装置に対して、前記第１被押圧部および前記第２被押圧部が回転したときに装着可能な液体供給ユニットであって、
前記液体噴射装置の前記液体導入管に液体を供給可能な液体供給口と、
前記第１被押圧部を押圧可能な第１押圧部と、
前記第２被押圧部を押圧可能な第２押圧部と、
を備え、
前記液体噴射装置に前記液体供給ユニットが装着されるとき、前記液体供給口が前記液体導入管に向かう接続方向において、前記液体供給口と前記第１押圧部との間の距離、および、前記液体供給口と前記第２押圧部との間の距離が、前記接続方向における前記液体供給口と前記支点と間の距離より長い状態で、前記第１押圧部及び前記第２押圧部は、前記第１被押圧部及び前記第２被押圧部が前記液体供給ユニットから離れる方向に回転するように前記回転機構を押圧可能である、液体供給ユニット。
【請求項２】
請求項１に記載の液体供給ユニットであって、
前記液体供給ユニットが前記液体噴射装置に装着されたときに、前記回転機構と当接可能な当接部を有し、
前記第１押圧部と前記第２押圧部は、前記当接部が前記回転機構に当接しているときには、前記第１被押圧部および前記第２被押圧部に対する押圧が解除されるように構成されている、液体供給ユニット。
【請求項３】
請求項１または請求項２に記載の液体供給ユニットであって、
前記液体噴射装置の電極部に電気的に接続可能に少なくとも１つの所定の配列方向に配列されている複数の接触部を備え、
前記複数の接触部は、前記配列方向において両端に位置する第１接触部と第２接触部とを含み、
前記配列方向における前記第１押圧部と前記第２押圧部との間の距離は、前記配列方向における前記第１接触部と前記第２接触部との間隔よりも大きい、液体供給ユニット。
【請求項４】
請求項３に記載の液体供給ユニットであって、
前記液体噴射装置が前記液体供給ユニットの装着を検出するための第１検出端子及び第２検出端子を備え、
前記第１検出端子は、前記第１接触部を有し、
前記第２検出端子は、前記第２接触部を有している、液体供給ユニット。
【請求項５】
請求項４に記載の液体供給ユニットであって、
記憶装置と、
前記液体噴射装置に電気的接続可能な第３接触部を有し、前記配列方向において前記第１検出端子と前記第２検出端子との間に位置し、前記記憶装置にデータを供給可能なデータ端子と、
前記液体噴射装置に電気的接続可能な第４接触部を有し、前記配列方向において前記第１検出端子と前記第２検出端子との間に位置し、前記記憶装置に高電位を供給可能な高電位端子と、
前記液体噴射装置に電気的接続可能な第５接触部を有し、前記配列方向において前記第１検出端子と前記第２検出端子との間に位置し、前記記憶装置に低電位を供給可能な低電位端子と、
を備える、液体供給ユニット。
【請求項６】
請求項３から請求項５のいずれか一項に記載の液体供給ユニットであって、
前記第１押圧部と、前記第２押圧部と、前記第１接触部と、前記第２接触部が配置されている壁面を備え、
前記第１押圧部は、前記第１接触部よりも前記壁面から突出している、液体供給ユニット。
【請求項７】
請求項２に従属する請求項６記載の液体供給ユニットであって、
前記壁面には、前記当接部が配置されている、液体供給ユニット。
【請求項８】
請求項６または請求項７に記載の液体供給ユニットであって、
前記壁面に交差する交差壁面を備え、
前記当接部は、前記交差壁面から前記壁面に延在している延在部によって構成されている、液体供給ユニット。
【請求項９】
請求項５から請求項８のいずれか一項に記載の液体供給ユニットであって、
第１壁部と、
前記第１壁部に対向する第２壁部と、
前記第１壁部と前記第２壁部とに交差する第３壁部と、
前記第１壁部と前記第２壁部とに交差し、前記第３壁部と対向する第４壁部と、
前記第１壁部と前記第２壁部と前記第３壁部と前記第４壁部とに交差する第５壁部と、
前記第１壁部と前記第２壁部と前記第３壁部と前記第４壁部とに交差し、前記第５壁部と対向する第６壁部と、
を備え、
前記壁面は、前記第４壁部の壁面であり、
前記第４壁部から前記第３壁部に向かう方向に前記液体供給ユニットを平面視したとき、
前記第５壁部から前記第１接触部までの距離より、前記第５壁部から前記第１押圧部までの距離が短く、
前記第６壁部から前記第２接触部までの距離より、前記第６壁部から前記第２押圧部までの距離が短い、液体供給ユニット。
【請求項１０】
請求項９に記載の液体供給ユニットであって、
前記第４壁部から前記第３壁部に向かう方向に前記液体供給ユニットを平面視したとき、
前記第１押圧部と前記第２押圧部との間に前記第１接触部と前記第２接触部とが位置している、液体供給ユニット。
【請求項１１】
請求項９または請求項１０に記載の液体供給ユニットであって、
前記第１壁部は、前記液体供給口を有し、
前記第１壁部から前記第２壁部に向かう方向に前記液体供給ユニットを平面視したとき、
前記液体供給口の中心から前記第１押圧部までの距離が、前記液体供給口の中心から前記第１接触部までの距離より長い、液体供給ユニット。
【請求項１２】
請求項１１に記載の液体供給ユニットであって、
前記液体供給口の中心は、前記第５壁部から前記第６壁部に向かう方向において前記第１接触部と前記第２接触部との間に位置している、液体供給ユニット。
【請求項１３】
請求項９から請求項１２のいずれか一項に記載の液体供給ユニットであって、
前記第３壁部と前記液体噴射装置とが当接する箇所を支点として回転することによって装着可能に構成されている、液体供給ユニット。
【発明の詳細な説明】
【技術分野】
【０００１】
本発明は、液体噴射装置に液体を供給するための液体供給ユニットに関する。
【背景技術】
【０００２】
液体供給ユニットとしては、例えば、いわゆるインクジェットプリンターにインクを供給するためのインクカートリッジが知られている。インクジェットプリンター（以下、単に「プリンター」とも呼ぶ。）は、液体噴射装置の一態様であり、インク滴を印刷面に吐出して画像を形成する印刷装置である。インクカートリッジは、通常、プリンターが備えるキャリッジに対して着脱可能に装着される。特許文献１の技術では、レバーの回転動作によってキャリッジにインクカートリッジが装着される。
【先行技術文献】
【特許文献】
【０００３】
【特許文献１】特開２０１３−１４１８０４号公報
【発明の概要】
【発明が解決しようとする課題】
【０００４】
インクカートリッジのキャリッジに対する装着性を高めるためには、キャリッジに対して装着されるときのインクカートリッジの角度や移動方向が容易に定まり、インクカートリッジの軌道が安定することが望ましい。また、装着のためにユーザーがインクカートリッジに付与する外力が低減できることが望ましい。加えて、装着後のインクカートリッジインクの固定性や安定性が高められていることが望ましい。
【０００５】
特に、インクカートリッジには、プリンターとの間で電気的な信号のやりとりをするための回路基板を有しているものがある。このタイプのインクカートリッジが装着されるプリンターは、この回路基板を介した信号のやりとりによって、キャリッジに対するインクカートリッジの装着状態の検出や、インクカートリッジに収容されているインクに関する情報の取得する。このタイプのインクカートリッジでは、プリンターとの間の電気的な接続性が確保されるようにプリンターに装着されることが望ましい。
【０００６】
従来から、インクカートリッジの装着性については、さらなる改良が望まれており、日々研究が積み重ねられている。その他に、インクカートリッジに対しては、小型化による空間利用効率の向上や、低コスト化、製造の容易化、省資源化、使い勝手の向上等が望まれている。これらの課題は、プリンターに装着されるインクカートリッジに限らず、液体を噴射する液体噴射装置など、液体を消費する装置に装着・接続されて、当該装置に液体を供給する液体供給ユニットに共通する課題であった。
【課題を解決するための手段】
【０００７】
本発明は、上述の課題の少なくとも一部を解決するためになされたものであり、以下の形態として実現することが可能である。
【０００８】
［１］本発明の一形態によれば、回転の支点と第１被押圧部と第２被押部とを含む回転機構と、液体を導入可能な液体導入管と、を有する液体噴射装置に対して、前記第１被押圧部および前記第２被押圧部が回転したときに装着可能な液体供給ユニットが提供される。この形態の液体供給ユニットは、液体供給口と、第１押圧部と、第２押圧部と、を備えて良い。前記液体供給口は、前記液体噴射装置の前記液体導入管に液体を供給可能に構成されて良い。前記第１押圧部は、前記第１被押圧部を押圧可能に構成されて良い。前記第２押圧部は、前記第２被押圧部を押圧可能に構成されて良い。前記第１押圧部及び前記第２押圧部は、前記液体噴射装置に前記液体供給ユニットが装着されるときに、前記液体供給口が前記液体導入管に向かう接続方向において、前記液体供給口と前記第１押圧部との間の距離、および、前記液体供給口と前記第２押圧部との間の距離が、前記接続方向における前記液体供給口と前記支点と間の距離より長い状態で、前記第１被押圧部及び前記第２被押圧部が前記液体供給ユニットから離れる方向に回転するように前記回転機構を押圧可能であって良い。この形態の液体供給ユニットは、第１押圧部と第２押圧部の２点において回転機構を押圧する状態で液体噴射装置に装着されるため、装着時の液体供給ユニットの姿勢が安定する。また、押圧部と回転機構の支点とが離れていることによって回転機構を回転させる力が低減され、液体供給ユニットの装着が容易化される。よって、液体供給ユニットの装着性が改善される。
【０００９】
［２］上記形態の液体供給ユニットは、前記液体供給ユニットが前記液体噴射装置に装着されたときに、前記回転機構と当接可能な当接部を有し、前記第１押圧部と前記第２押圧部は、前記当接部が前記回転機構に当接しているときには、前記第１被押圧部および前記第２被押圧部に対する押圧が解除されるように構成されて良い。この形態の液体供給ユニットによれば、液体供給ユニットの装着操作が簡易になる。
【００１０】
［３］上記形態の液体供給ユニットは、前記液体噴射装置の電極部に電気的に接続可能に少なくとも１つの所定の配列方向に配列されている複数の接触部を備え、前記複数の接触部は、前記配列方向において両端に位置する第１接触部と第２接触部とを含み、前記配列方向における前記第１押圧部と前記第２押圧部との間の距離は、前記配列方向における前記第１接触部と前記第２接触部との間隔よりも大きくて良い。この形態の液体供給ユニットによれば、液体噴射装置に対する電気的接続性が高められる。
【００１１】
［４］上記形態の液体供給ユニットは、前記液体噴射装置が前記液体供給ユニットの装着を検出するための第１検出端子及び第２検出端子を備え、前記第１検出端子は、前記第１接触部を有し、前記第２検出端子は、前記第２接触部を有していて良い。この形態の液体供給ユニットによれば、液体噴射装置に対する液体供給ユニットの装着状態の検出精度が高められる。
【００１２】
［５］上記形態の液体供給ユニットは、記憶装置と、前記液体噴射装置に電気的接続可能な第３接触部を有し、前記配列方向において前記第１検出端子と前記第２検出端子との間に位置し、前記記憶装置にデータを供給可能なデータ端子と、前記液体噴射装置に電気的接続可能な第４接触部を有し、前記配列方向において前記第１検出端子と前記第２検出端子との間に位置し、前記記憶装置に高電位を供給可能な高電位端子と、前記液体噴射装置に電気的接続可能な第５接触部を有し、前記配列方向において前記第１検出端子と前記第２検出端子との間に位置し、前記記憶装置に低電位を供給可能な低電位端子と、を備えて良い。この形態の液体供給ユニットによれば、各端子の接続性が高められるため、液体供給ユニットの記憶装置と液体供給装置との間の通信品質が高められる。
【００１３】
［６］上記形態の液体供給ユニットは、前記第１押圧部と、前記第２押圧部と、前記第１接触部と、前記第２接触部が配置されている壁面を備え、前記第１押圧部は、前記第１接触部よりも前記壁面から突出していて良い。この形態の液体供給ユニットによれば、第１押圧部によって第１接触部が保護される。従って、第１接触部の劣化に起因する液体噴射装置との電気的接続の不良が抑制される。
【００１４】
［７］上記形態の液体供給ユニットにおいて、前記壁面には、前記当接部が配置されて良い。この形態の液体供給ユニットによれば、液体供給ユニットの装着操作が簡易になる。
【００１５】
［８］上記形態の液体供給ユニットは、前記壁面に交差する交差壁面を備え、前記当接部は、前記交差壁面から前記壁面に延在している延在部によって構成されて良い。この形態の液体供給ユニットによれば、液体供給ユニットの装着性が高められる。
【００１６】
［９］上記形態の液体供給ユニットは、第１壁部と、前記第１壁部に対向する第２壁部と、前記第１壁部と前記第２壁部とに交差する第３壁部と、前記第１壁部と前記第２壁部とに交差し、前記第３壁部と対向する第４壁部と、前記第１壁部と前記第２壁部と前記第３壁部と前記第４壁部とに交差する第５壁部と、前記第１壁部と前記第２壁部と前記第３壁部と前記第４壁部とに交差し、前記第５壁部と対向する第６壁部と、を備えて良い。前記壁面は、前記第４壁部の壁面であり、前記第４壁部から前記第３壁部に向かう方向に前記液体供給ユニットを平面視したとき、前記第５壁部から前記第１接触部までの距離より、前記第５壁部から前記第１押圧部までの距離が短く、前記第６壁部から前記第２接触部までの距離より、前記第６壁部から前記第２押圧部までの距離が短くなるように構成されて良い。この形態の液体供給ユニットによれば、第５壁部から第６壁部に向かう方向における２つの押圧部の間の領域に、第１接触部および第２接触部が配置される。従って、液体噴射装置に対する電気的接続性が高められる。
【００１７】
［１０］上記形態の液体供給ユニットは、前記第４壁部から前記第３壁部に向かう方向に前記液体供給ユニットを平面視したとき、前記第１押圧部と前記第２押圧部との間に前記第１接触部と前記第２接触部とが位置する構成であって良い。この形態の液体供給ユニットによれば、液体供給ユニットを液体噴射装置に装着するときに、第１接触部と第２瀬色部の配列方向が傾いてしまうことが抑制される。従って、液体噴射装置に対する電気的接続性が高められる。
【００１８】
［１１］上記形態の液体供給ユニットは、前記第１壁部が前記液体供給口を有し、前記第１壁部から前記第２壁部に向かう方向に前記液体供給ユニットを平面視したとき、前記液体供給口の中心から前記第１押圧部までの距離が、前記液体供給口の中心から前記第１接触部までの距離より長くなるように構成されていて良い。この形態の液体供給ユニットによれば、液体噴射装置に対する液体供給口の接続性を高めることができる。
【００１９】
［１２］上記形態の液体供給ユニットにおいて、前記液体供給口の中心は、前記第５壁部から前記第６壁部に向かう方向において前記第１接触部と前記第２接触部との間に位置していて良い。この形態の液体供給ユニットによれば、第１接触部と第２接触部の接続性とともに液体供給口の接続性が高められる。
【００２０】
［１３］上記形態の液体供給ユニットは、前記第３壁部と前記液体噴射装置とが当接する箇所を支点として回転することによって装着可能に構成されて良い。この形態の液体供給ユニットであれば、液体噴射装置に対して装着されるときの軌道が安定し、その装着性が高められる。
【００２１】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００２２】
本発明は、液体供給ユニット以外の種々の形態で実現することも可能である。例えば、液体供給ユニットが装着される装置やその装置を備えるシステム、液体供給ユニットの装着機構や装着構造、装着方法等の形態で実現することができる。
【図面の簡単な説明】
【００２３】
【図１】印刷装置の外観構成を示す概略斜視図。
【図２】印刷装置の本体部の外観構成を示す概略斜視図。
【図３】ホルダー部に装着されている第１と第２のインクカートリッジを示す概略斜視図。
【図４】第１のインクカートリッジの外観構成を示す上方斜視図。
【図５】第１のインクカートリッジの外観構成を示す下方斜視図。
【図６】第１のインクカートリッジの外観構成を示す側面図。
【図７】第１のインクカートリッジの外観構成を示す正面図。
【図８】第１のインクカートリッジの概略断面図。
【図９】回路基板における複数の端子の配列構成を示す概略図。
【図１０】第２のインクカートリッジの上方斜視図。
【図１１】第２のインクカートリッジの下方斜視図。
【図１２】第２のインクカートリッジの側面図。
【図１３】第２のインクカートリッジの正面図。
【図１４】ホルダー部を正面側の上方からみたときの上方斜視図。
【図１５】ホルダー部を背面側の上方からみたときの上方斜視図。
【図１６】ホルダー部の下方斜視図。
【図１７】ホルダー部に取り付けられている状態のレバー部および装置側端子部の近傍を抜き出して示す概略斜視図。
【図１８】レバー部の側面図。
【図１９】ホルダー部に対する第１のインクカートリッジの装着過程を時系列で示す概略図。
【図２０】ホルダー部に対する第１のインクカートリッジの装着過程を時系列で示す概略図。
【図２１】主係合部が有する第１側壁部と第２側壁部の機能を説明するための模式図。
【図２２】第１のインクカートリッジにおける主係合部と回路基板との位置関係を示す概略図。
【図２３】第１側壁部および第２側壁部とインク供給口との位置関係を示す概略図。
【図２４】第２実施形態の第１のインクカートリッジの概略側面図。
【図２５】第３実施形態の第１のインクカートリッジを正面側から見たときの概略図。
【図２６】第４実施形態のインクカートリッジの構成を示す概略図。
【図２７】第５実施形態の液体供給ユニットの構成を示す概略図。
【発明を実施するための形態】
【００２４】
A．第１実施形態：
［印刷装置の構成］
図１は、本発明の第１実施形態としてのインクカートリッジ（以下、単に「カートリッジ」とも呼ぶ。）が装着される印刷装置１０の外観構成を示す概略斜視図である。図１には互いに直交する三方向を示す矢印Ｘ，Ｙ，Ｚが図示されている。矢印Ｘは、印刷装置１０の横方向（幅方向）に平行な方向を示しており、印刷装置１０に正対したときに左側から右側に向かう方向を示している。矢印Ｙは、印刷装置１０の前後方向に平行な方向を示しており、後方（背面側）から前方（正面側）に向かう方向を示している。矢印Ｚは、印刷装置１０の高さ方向を示しており、印刷装置１０が載置される載置面に対して垂直上方を示している。なお、本明細書の説明に用いられる他の各図においても、矢印Ｘ，Ｙ，Ｚが、適宜、図１と対応するように図示されている。また、本明細書において、「上」あるいは「下」と呼ぶときは、印刷装置１０の矢印Ｚの方向を基準とする方向を意味している。同様に、「前」あるいは「後」と呼ぶときは、印刷装置１０の矢印Ｙの方向を基準とする方向を意味しており、「左」あるいは「右」と呼ぶときはそれぞれ、矢印Ｘの方向を基準とする方向を意味している。
【００２５】
印刷装置１０は、液体噴射装置の一態様であるインクジェットプリンターである。印刷装置１０は、外部から供給される印刷データに応じて印刷用紙にインク滴を吐出することによって画像を形成する。印刷装置１０は、筐体１１と、給紙口１２と、上面カバー１３と、排紙口１４と、操作部１６と、を備える。筐体１１は印刷装置１０の印刷機構を備える本体部（後述）を収容する外装部材である。給紙口１２は筐体１１の後方において上方に向かって開口するように設けられた開口部である。印刷媒体である印刷用紙は、給紙口１２を介して筐体１１の内部の本体部に供給される。
【００２６】
上面カバー１３は給紙口１２近傍において筐体１１に回動可能に取り付けられた板状部材である。上面カバー１３は開いた状態（図示されている状態）のときには、給紙口１２に印刷用紙を送り込むときのガイド板として機能し、閉じた状態のときには筐体１１の上面中央を被覆して保護する蓋部として機能する。排紙口１４は筐体１１の前面に設けられた開口部である。給紙口１２を介して筐体１１内部に送り込まれた印刷用紙は排紙口１４を介して外部に排出される。操作部１６は、ユーザーの操作を受け付けるボタンや、ユーザーに対して情報を表示する表示部を備える。操作部１６は、筐体１１の上面に設けられており、ユーザーは上面カバー１３が開いた状態のときに操作部１６にアクセスすることができる。
【００２７】
図２は印刷装置１０の筐体１１内から取り出された本体部２０の外観構成を示す概略斜視図である。図２にはキャリッジ２７の移動軌跡が破線によって模式的に図示されている。本体部２０は、制御部２１と、搬送部２２と、印刷部２３と、を備える。制御部２１は中央処理装置と主記憶装置とを備えるマイクロコンピューターによって構成されている。制御部２１は、操作部１６を介したユーザーの操作や外部のコンピューターからの指令に応じて印刷装置１０の各構成部を制御して印刷処理を実行する。搬送部２２は、給紙口１２（図１）から導入された印刷用紙を、搬送ローラー２５の回転駆動によって、本体部２０の内部において矢印Ｙの方向（副走査方向）に向かって延びている搬送路（図示は省略）を介して排紙口１４まで搬送する。
【００２８】
印刷部２３は、印刷用紙の搬送路上に配置されており、搬送部２２によって搬送されている印刷用紙に対する印刷を実行する。印刷部２３は、キャリッジ２７と、ガイドレール２８と、を備える。キャリッジ２７はインク滴を吐出する印刷ヘッド（図示は省略）を備えている。キャリッジ２７は、制御部２１の制御下において、主走査方向（矢印Ｘの方向）に架設されているガイドレール２８に沿って往復移動しつつ、搬送部２２によって副走査方向に搬送されていく印刷用紙の紙面に向かってインク滴を吐出する。本実施形態の印刷装置１０は、いわゆるオンキャリッジタイプであり、キャリッジ２７には、ホルダー部２００を介して２つのカートリッジ１００ａ，１００ｂが着脱可能に装着されている。
【００２９】
図３は、印刷装置１０においてホルダー部２００に装着されている状態の第１と第２のカートリッジ１００ａ，１００ｂを示す概略斜視図である。第１と第２のカートリッジ１００ａ，１００ｂは液体供給ユニットに相当し、印刷装置１０に供給するためのインクを収容している。第１のカートリッジ１００ａは１種類の色インクを収容し、第２のカートリッジ１００ｂは種類が異なる複数の色インクを収容する。本実施形態では、第１のカートリッジ１００ａにはブラックの色インクが収容されており、第２のカートリッジ１００ｂにはシアンとイエローとマゼンタの色インクが収容されている。
【００３０】
第１と第２のカートリッジ１００ａ，１００ｂはそれぞれ略直方体形状を有している。第１とカートリッジ１００ａの長さ（矢印Ｙの方向の長さ）と高さ（矢印Ｚの方向の長さ）は第２のカートリッジ１００ｂとほぼ同じである。ホルダー部２００は上方が開口している略直方体形状の箱体として構成されている。第１と第２のカートリッジ１００ａ，１００ｂは、長さと高さとがほぼ揃った状態でホルダー部２００の内部空間に並列に収容される。ホルダー部２００に装着されている状態において第１と第２のカートリッジ１００ａ，１００ｂの側面および底面はほぼ被覆され、上面全体は上方に露出している。
【００３１】
第１と第２のカートリッジ１００ａ，１００ｂはそれぞれが独立にホルダー部２００に対して固定されている。以下では、第１と第２のカートリッジ１００ａ，１００ｂとホルダー部２００の構成の詳細を説明し、ホルダー部２００に対する第１と第２のカートリッジ１００ａ，１００ｂの装着・固定の機構を説明する。なお、第１と第２のカートリッジ１００ａ，１００ｂを示す図面に示されている矢印Ｘ，Ｙ，Ｚの方向は、上述の印刷装置１０に装着された状態での方向を示している。
【００３２】
［第１のカートリッジの構成］
図４〜図８を参照図として第１のカートリッジ１００ａの構成の詳細を説明する。図４は第１のカートリッジ１００ａの上方斜視図である。図５は第１のカートリッジ１００ａの下方斜視図である。図６は第１のカートリッジ１００ａの側面図である。図７は第１のカートリッジ１００ａの正面図である。図８は、図４に示すＡ−Ａ切断における第１のカートリッジ１００ａの概略断面図である。なお、図８では、インク室１０８内の詳細な構成の図示は省略されている。
【００３３】
上述したように、第１のカートリッジ１００ａは略直方体形状を有しており、インクを収容するためのインク室１０８（図８）を囲む６個の壁部１０１〜１０６を有している。第１壁部１０１（図５）は、第１のカートリッジ１００ａの底面を構成している。底面とは、印刷装置１０に装着されたときに矢印Ｚの逆方向に向く面である。第１壁部１０１の中央には、インク室１０８に連通するインク供給口１１０が設けられている。インク供給口１１０は、第１のカートリッジ１００ａがホルダー部２００に装着されたときに、ホルダー部２００のインク受入部（後述）に接続される。インク供給口１１０は、液体供給口に相当する。
【００３４】
第２壁部１０２（図４）は、第１壁部１０１と対向しており、第１のカートリッジ１００ａの上面を構成している。上面とは、印刷装置１０に装着されたときに矢印Ｚの方向に向く面である。第２壁部１０２は、第１のカートリッジ１００ａの本体から分離可能な蓋体１０２ｃ（図８）によって構成されている。
【００３５】
第２壁部１０２は、第４壁部１０４と隣接する端部の中央に、矢印Ｙの方向に延びて延在している延在部１１３を有している。本明細書において「延在」とは、切れ間なく連続して延びていることを意味する。延在部１１３は、主係合部１２０の一部を構成している。第２壁部１０２は、インク室１０８にインクを充填するための貫通孔１１５と、インク室１０８に外気を導入するための空気流路溝１１６と、それらを上方から封止するフィルム状のシール部材１１７と、を有している（図８）。
【００３６】
第３壁部１０３（図６）は第１壁部１０１と第２壁部１０２とに交差している。第３壁部１０３は第１のカートリッジ１００ａの背面を構成し、第１のカートリッジ１００ａがホルダー部２００に装着されたときには印刷装置１０の後方（矢印Ｙの逆方向）に向くように配置される。第３壁部１０３の下端には、矢印Ｙに沿った方向に突起する複数の突起部１１４が設けられている。複数の突起部１１４はそれぞれ、矢印Ｘの方向における両端に配列されている。複数の突起部１１４は第１のカートリッジ１００ａがホルダー部２００に装着されるときにホルダー部２００の嵌合穴（後述）に挿通されて係合する。
【００３７】
第４壁部１０４は、第１壁部１０１と第２壁部１０２とに交差し、第３壁部１０３と対向している（図４〜図８）。第４壁部１０４は、第１のカートリッジ１００ａの正面を構成し、第１のカートリッジ１００ａがホルダー部２００に装着されたときには印刷装置１０の前方（矢印Ｙの方向）に向き、ユーザーと正対する。第４壁部１０４には、ホルダー部２００のレバー部（後述）に対して係合する主係合部１２０が設けられている。本明細書において「係合する」とは、移動方向が制限されるように所定の部位に係り合うことを意味する。主係合部１２０は、第４壁部１０４の上端部に寄った位置において矢印Ｘの方向におけるほぼ中央に設けられている。
【００３８】
主係合部１２０は、第２壁部１０２からわずかに下降しつつ前方に延出している舌片状の庇部として形成されている。主係合部１２０の前方端部は、中央に局所的な凹部である切欠部１２２が設けられており、切欠部１２２の凹部空間によって隔てられて２つに分離されている。すなわち、主係合部１２０の前方端部は、矢印Ｘの方向に順に、第１部分である第１庇部１２１と、切欠部１２２と、第２部分である第２庇部１２３と、が配列された構成を有している。第１庇部１２１と第２庇部１２３とはそれぞれ、当接部に相当し、ホルダー部２００のレバー部と係合するときに、その上面がホルダー部２００のレバー部に対して面接触する。
【００３９】
第１庇部１２１と第２庇部１２３の下面にはそれぞれ第１側壁部１２５と第２側壁部１２６とが設けられている。第１側壁部１２５と第２側壁部１２６とは、矢印Ｘの方向に配列されている板状部位である。第１側壁部１２５と第２側壁部１２６とはそれぞれ第４壁部１０４の壁面から矢印Ｙの方向に離間した位置において、第１庇部１２１と第２庇部１２３のそれぞれから下方に垂下するように設けられており、第４壁部１０４の壁面から突出している。第１側壁部１２５と第２側壁部１２６の正面側の端面１２７はそれぞれ、第４壁部１０４の壁面に対して傾斜している平面として構成されている。
【００４０】
第１側壁部１２５と第２側壁部１２６とはそれぞれ、第１のカートリッジ１００ａをホルダー部２００に装着する際に、ホルダー部２００の回転機構であるレバー部を押圧する第１押圧部と第２押圧部として機能する（詳細は後述）。また、第１側壁部１２５と第２側壁部１２６とは、以下に説明するように回路基板１３０の保護部としても機能する。
【００４１】
第４壁部１０４における主係合部１２０の下方には、印刷装置１０との間で電気的信号のやりとりを行うための回路基板１３０が配置されている（図５）。回路基板１３０は、その表面がわずかに下方に向くように、例えば矢印Ｚ方向に対して１０°〜４５°の傾斜角を有して第４壁部１０４に固定されている。
【００４２】
回路基板１３０は、端子部１３１と、記憶装置１３２と、を備えている（図８）。端子部１３１は、回路基板１３０の表面に設けられており、所定の配列方向に配列されている複数の端子を有している。第１のカートリッジ１００ａがホルダー部２００に装着されたときに、端子部１３１の各端子は、ホルダー部２００に設けられている複数の端子のうちの対応するひとつの端子（後述）と接触して電気的に導通する。回路基板１３０の端子部１３１が有する複数の端子の配列構成の詳細は後述する。記憶装置１３２は、例えば、フラッシュＲＯＭなどのリライト可能な不揮発性メモリによって構成される。記憶装置１３２は、第１のカートリッジ１００ａに収容されているインクの色や残量など、インクに関する情報を不揮発的に記憶している。
【００４３】
印刷装置１０は、回路基板１３０の端子部１３１のいくつかの端子がそれぞれホルダー部２００に設けられている複数の端子のうちの対応するひとつの端子（後述）と接触して電気的に導通することによって、第１のカートリッジ１００ａが装着されていることを検出する。また、印刷装置１０は、回路基板１３０の記憶装置１３２からインクに関する情報を取得する。
【００４４】
本実施形態においては、回路基板１３０は、主係合部１２０の第１側壁部１２５と第２側壁部１２６とに挟まれる位置に配置されている（図５，図７）。第１側壁部１２５と第２側壁部１２６とは、回路基板１３０の表面の両側において前方に突出している。このように、回路基板１３０の両側から第１側壁部１２５と第２側壁部１２６が突出していることによって、ユーザーが回路基板１３０の端子に誤って触れてしまうことが抑制され、端子部１３１の端子が保護される。
【００４５】
第５壁部１０５と第６壁部１０６とは、第１壁部１０１と、第２壁部１０２と、第３壁部１０３と、第４壁部１０４と、に交差するとともに互いに対向している（図４〜図７）。第５壁部１０５と第６壁部１０６とは、第１のカートリッジ１００ａの側面を構成している。第５壁部１０５と第６壁部１０６の表面には、矢印Ｚの方向に延びるリブ１４１，１４２,１４３が設けられている。第１リブ１４１は後方端部に設けられており、第２リブ１４２は前後方向の中程の位置に設けられており、第３リブ１４３は前方端部に設けられている。
【００４６】
各リブ１４１，１４２，１４３は、第１のカートリッジ１００ａの側壁面の補強部として機能する。また、第１のカートリッジ１００ａがホルダー部２００に装着されるときに、第１のカートリッジ１００ａの移動方向を規定するガイド部としても機能し、第１のカートリッジ１００ａの位置を固定する位置決め部としても機能する（詳細は後述）。
【００４７】
図９は、回路基板１３０における複数の端子１５１〜１５９の配列構成を示す概略図である。図９では、各端子１５１〜１５９の接触部ＣＰを破線で図示してある。複数の端子１５１〜１５９はそれぞれ、接触部ＣＰを有する。各端子１５１〜１５９における各接触部ＣＰは、ホルダー部２００に設けられている対応するひとつの端子（後述）と接触して電気的に導通する部位である。複数の端子１５１〜１５９の接触部ＣＰは回路基板１３０において上段と下段の２列に分けられて、矢印Ｘの方向に平行な配列方向（以下、この配列方向を「端子配列方向」とも呼ぶ）に配列されている。第１と第２の端子１５１，１５２の接触部ＣＰはそれぞれ上段の列の両端に配置されている。第３と第４の端子１５３，１５４の接触部ＣＰは第１と第２の端子１５１，１５２のそれぞれの接触部ＣＰの間において矢印Ｘ方向に順に配置されている。第５と第６の端子１５５，１５６の接触部ＣＰはそれぞれ下段の列の両端に配置されている。第７と第８と第９の端子１５７，１５８，１５９の接触部ＣＰは、第５と第６の端子１５５，１５６のそれぞれの接触部ＣＰの間において、矢印Ｘの方向に順に配置されている。
【００４８】
第１と第２の端子１５１，１５２はそれぞれ第１接触部を有する第１検出端子および第２接触部を有する第２検出端子に相当し、印刷装置１０が第１のカートリッジ１００ａのホルダー部２００に対する装着を検出するために用いられる。第１と第２の端子１５１，１５２は、第１のカートリッジ１００ａがホルダー部２００に正しく装着されてホルダー部２００の対応する端子に接触したときに所定の電圧変化を生じるように構成されている。具体的には、第１と第２の端子１５１，１５２は互いに短絡されており、第１のカートリッジ１００ａがホルダー部２００に装着されたときに第１の端子１５１に印加される電圧に基づいて第２の端子１５２の電圧が変化するように構成されている。
【００４９】
本実施形態の回路基板１３０では、第１と第２の端子１５１，１５２の接触部ＣＰは隣り合う端子の接触部ＣＰの数が少ない配列方向の両端に配置されているため、他の端子の接触部ＣＰとの短絡の発生が抑制されている。また、第１と第２の端子１５１，１５２の接触部ＣＰは矢印Ｘの方向に離間して配置されているため、第１のカートリッジ１００ａが矢印Ｘの方向に傾いた状態で装着されている状態が正しい装着状態として検出されてしまうことが抑制される。このように、本実施形態の回路基板１３０によれば、ホルダー部２００に対する第１のカートリッジ１００ａの装着状態の検出精度が高められる。なお、第１と第２の端子１５１，１５２において装置側端子部２５０の端子２５１が接触する部位がそれぞれ第１接触部および第２接触部に相当する。
【００５０】
第３の端子１５３は、その接触部ＣＰがホルダー部２００側の対応する端子に接触したときに接地される接地端子であり、記憶装置１３２に低電位を供給可能な低電位端子に相当する。第４の端子１５４は、その接触部ＣＰがホルダー部２００側の対応する端子に接触したときに高電位が印加される電源端子であり、記憶装置１３２に高電位を供給可能な高電位端子に相当する。
【００５１】
第５と第６の端子１５５，１５６は、第１と第２の端子１５１，１５２と同様に、印刷装置１０がホルダー部２００に対する第１のカートリッジ１００ａの装着を検出するために用いられる。第７の端子１５７は、記憶装置１３２に印刷装置１０からリセット信号を供給するためのリセット端子である。第８の端子１５８は、記憶装置１３２に印刷装置１０からクロック信号を供給するためのクロック端子である。第９の端子１５９は、記憶装置１３２と印刷装置１０との間でデータ信号のやりとりを行うためのデータ端子である。本実施形態では、印刷装置１０は、第８の端子１５８を介して供給するクロック信号に基づく第９の端子１５９を介したシリアル転送によって記憶装置１３２との間でデータを送受信する。
【００５２】
［第２のカートリッジの構成］
図１０〜図１３を参照図として第２のカートリッジ１００ｂの構成の詳細を説明する。図１０は第２のカートリッジ１００ｂの上方斜視図である。図１０では、便宜上、第２のカートリッジ１００ｂの内部に形成されているインク室１０８ａ〜１０８ｃを破線で図示してある。図１１は第２のカートリッジ１００ｂの下方斜視図である。図１２は第２のカートリッジ１００ｂの側面図である。図１３は第２のカートリッジ１００ｂの正面図である。図１０〜図１３では、図４〜図８において説明した第１のカートリッジ１００ａの構成部と共通する構成部には同じ符号を付してある。
【００５３】
上述したように、第２のカートリッジ１００ｂは略直方体形状の外観を有しており、第１のカートリッジ１００ａの各壁部１０１〜１０６に対応する６つの壁部１０１〜１０６を有している。第２のカートリッジ１００ｂの内部は３色のインクを色ごとに収容するための３つのインク室１０８ａ〜１０８ｃに仕切られている。
【００５４】
第１のインク室１０８ａは、第４壁部１０４に面する前方の領域に形成されている。第２と第３のインク室１０８ｂ，１０８ｃはそれぞれ、第１のインク室１０８ａより後方側の領域を、矢印Ｘの方向に二分することによって形成されている。第２のインク室１０８ｂは、第５壁部１０５に面する側に形成されており、第３のインク室１０８ｃは、第６壁部１０６に面する側に形成されている。
【００５５】
第１壁部１０１（図１１）には、各インク室１０８ａ〜１０８ｃに対応する３つのインク供給口１１０ａ〜１１０ｃが設けられている。第１のインク供給口１１０ａは、その中心が第４壁部１０４に設けられている主係合部１２０の矢印Ｘ方向における中心とほぼ一致する位置に形成されている。第２と第３のインク供給口１１０ｂ，１１０ｃはそれぞれ、第２と第３のインク室１０８ｂ，１０８ｃの中央に設けられている。
【００５６】
第２と第３のインク供給口１１０ｂ，１１０ｃの間の第２と第３のインク室１０８ｂ，１０８ｃの境界位置に相当する位置には、矢印Ｙの方向に直線状に延びる溝部１１８が形成されている。溝部１１８は、第２のカートリッジ１００ｂがホルダー部２００に装着されるときにホルダー部２００の第２副壁部（後述）が係合する被係合部として機能する。
【００５７】
第２壁部１０２（図１０）は、矢印Ｘの方向における幅が異なる点と延在部１１３の形成位置が異なる点以外は第１のカートリッジ１００ａの第２壁部１０２とほぼ同じ構成を有している。延在部１１３は第４壁部１０４と隣接する端部の中央より矢印Ｘの方向の逆方向に寄った位置に形成されている。第３壁部１０３（図１１，図１２）は、矢印Ｘの方向における幅が異なる点以外は第１のカートリッジ１００ａの第３壁部１０３とほぼ同じ構成を有している。
【００５８】
第４壁部１０４（図１０，図１１）は主係合部１２０の形成位置が異なっている点以外は、第１のカートリッジ１００ａの第２壁部１０２とほぼ同じ構成を有している。主係合部１２０は第２壁部１０２と隣接する端部の中央より矢印Ｘの方向とは反対側の方向に寄った位置に形成されている。これによって、第１と第２のカートリッジ１００ａ，１００ｂがホルダー部２００に装着されたときに、それぞれの主係合部１２０が近接した位置に隣り合って配列される（図３）。第５壁部１０５（図１０，図１１）と第６壁部１０６（図１２）はそれぞれ、第１のカートリッジ１００ａの第５壁部１０５と第６壁部１０６とほぼ同じ構成を有している。
【００５９】
［ホルダー部の構成］
図１４〜図１６を参照図としてホルダー部２００の概略構成を説明する。図１４はホルダー部２００を正面側の上方からみたときの上方斜視図である。図１５はホルダー部２００を背面側からみたときの上方斜視図である。図１６はホルダー部２００の下方斜視図である。ホルダー部２００は、上述したように、上方が開口している略直方体形状の箱体として構成されている。ホルダー部２００は、第１と第２のカートリッジ１００ａ，１００ｂが収容されるカートリッジ収容室２１０を囲む５つの壁部２０１〜２０５を有している。
【００６０】
底面壁部２０１はカートリッジ収容室２１０の底面を構成しており、各カートリッジ１００ａ，１００ｂが載置される載置部として機能する。正面壁部２０２および背面壁部２０３はそれぞれ、底面壁部２０１の正面側の端部および背面側の端部からほぼ垂直上方に延びており、カートリッジ収容室２１０の正面および背面を構成している。第１側面壁部２０４および第２側面壁部２０５はそれぞれ、底面壁部２０１の左側端部および右側端部からほぼ垂直上方に延びており、カートリッジ収容室２１０の左側面および右側面を構成している。
【００６１】
底面壁部２０１（図１４，図１５）には、各カートリッジ１００ａ，１００ｂのインク供給口１１０，１００ａ〜１００ｃに接続されるインク受入部２１１〜２１４が設けられている。各インク受入部２１１〜２１４は、液体導入管に相当する。各インク受入部２１１〜２１４の外周には、インクの経路に対する外気の侵入を抑制するとともに、インクの外部への漏洩を抑制するためのシール部２１５が設けられている。
【００６２】
底面壁部２０１には、第１と第２のカートリッジ１００ａ，１００ｂをそれぞれ上方に付勢するための付勢機構２１７が設けられている。本実施形態では、付勢機構２１７は、弦巻バネによって構成されている。付勢機構２１７は、レバー部２３０に隣り合う位置に配置されている。これによって、第１と第２のカートリッジ１００ａ，１００ｂが装着されたときに係合し合う主係合部１２０とレバー部２３０との間の係合力が高められ、ホルダー部２００に対する第１と第２のカートリッジ１００ａ，１００ｂの装着性が高められる。また、ホルダー部２００からの第１と第２のカートリッジ１００ａ，１００ｂの取り外しの際に第１と第２のカートリッジ１００ａ，１００ｂが上方に付勢されるため、その取り外し操作の操作性が高められる。
【００６３】
底面壁部２０１には、第１側面壁部２０４および第２側面壁部２０５に対して平行であり、高さが低い第１副壁部２２１および第２副壁部２２４が設けられている。第１副壁部２２１は、第１側面壁部２０４と第２側面壁部２０５とに隣り合う位置と、第１と第２のカートリッジ１００ａ，１００ｂの境界位置に相当する位置と、に設けられている。第２副壁部２２４は、第２のカートリッジ１００ｂが装着される領域において、第２と第３のインク室１０８ｂ，１０８ｃの境界位置に相当する位置に設けられている。
【００６４】
第１副壁部２２１には、後方側の端部に後方に向かって高さが次第に低くなる傾斜部２２５が形成されている。また、第１副壁部２２１には、カートリッジ収容室２１０の矢印Ｙの方向における中程に切欠部２２６が形成されている。傾斜部２２５や切欠部２２６はそれぞれ、第１と第２のカートリッジ１００ａ，１００ｂがホルダー部２００に装着されるときに、第１と第２のカートリッジ１００ａ，１００ｂの移動をガイドするガイド部として機能する（詳細は後述）。
【００６５】
第２副壁部２２４には、後方側の端部に、第１副壁部２２１と同様な傾斜部２２５が形成されている。第２のカートリッジ１００ｂがホルダー部２００に装着されるときには、傾斜部２２５も第２のカートリッジ１００ｂの移動をガイドするガイド部として機能する。また、第２副壁部２２４は、第２のカートリッジ１００ｂの第１壁部１０１に設けられている溝部１１８（図１１）に係合し、第２のカートリッジ１００ｂを固定する機能も有する。
【００６６】
正面壁部２０２（図１５）には、支点を軸に回転する回転機構であるレバー部２３０が設けられている。正面壁部２０２にレバー部２３０が設けられていることによって、第１と第２のカートリッジ１００ａ，１００ｂの着脱の際にユーザーがレバー部２３０に容易にアクセスすることができる。レバー部２３０の下方には、第１と第２のカートリッジ１００ａ，１００ｂの回路基板１３０の端子部１３１と接触する装置側端子部２５０が配置されている。装置側端子部２５０は電極部に相当する。レバー部２３０および装置側端子部２５０の構成の詳細は後述する。
【００６７】
背面壁部２０３（図１４）のカートリッジ収容室２１０側の壁面の下端には、複数の嵌合穴２２７が矢印Ｘ方向に配列されている。第１と第２のカートリッジ１００ａ，１００ｂが装着される際には、嵌合穴２２７に、各カートリッジ１００ａ，１００ｂの第３壁部１０３の下端に設けられている複数の突起部１１４（図５，図１１）が挿通されて係合する。
【００６８】
図１７，図１８を参照図として、ホルダー部２００のレバー部２３０および装置側端子部２５０の構成を説明する。図１７は、ホルダー部２００の正面壁部２０２に取り付けられている状態のレバー部２３０および装置側端子部２５０の近傍を示す上方斜視図である。図１８はレバー部２３０の側面図である。図１７，図１８にはそれぞれ、レバー部２３０の回転軸ＲＸが一点鎖線で図示されている。
【００６９】
レバー部２３０は、第１と第２のカートリッジ１００ａ，１００ｂの主係合部１２０が係合する被係合部として機能する。レバー部２３０は、矢印Ｚの方向に延伸している２本の脚部２３１と、２本の脚部２３１の上端に架橋されている架橋部２３２と、を有する。各脚部２３１の下端には矢印Ｘの方向においてそれぞれ外側に向かって突起する凸部２３５が設けられている。
【００７０】
レバー部２３０は、各凸部２３５が正面壁部２０２に設けられている凹部（図示は省略）に嵌合することによって、各凸部２３５の中心軸を回転軸ＲＸとして前後方向に回転移動可能なように取り付けられている。レバー部２３０は、ホルダー部２００において、付勢機構（図示は省略）によって後方に付勢された状態で、所定の回転角度で静止するように係止されている。
【００７１】
レバー部２３０の架橋部２３２は、両端が脚部２３１に連結されるとともに後方から前方に向かって延出している平板部２３６（図１８）を有する。平板部２３６は、第１と第２のカートリッジ１００ａ，１００ｂの主係合部１２０に係合される被係合部位である。第１と第２のカートリッジ１００ａ，１００ｂがホルダー部２００に装着されたときには、平板部２３６の下面は、各カートリッジ１００ａ，１００ｂの主係合部１２０（図５，図１１）における各庇部１２１，１２３の上面と面接触する。また、後述するように、平板部２３６の後方側の端面２３７は、第１と第２のカートリッジ１００ａ，１００ｂの装着時に、主係合部１２０が有する第１側壁部１２５と第２側壁部１２６のそれぞれと接触する。
【００７２】
装置側端子部２５０（図１７）は、板形状を有しており、後方側の面に第１と第２のカートリッジ１００ａ，１００ｂの端子部１３１における各端子１５１〜１５９（図９）に対応する複数の端子２５１が配列されている。各端子２５１は、装置側端子部２５０の厚み方向に突出している。また、各端子２５１は、装置側端子部２５０内部の付勢機構（図示は省略）によって突出方向に付勢されている。装置側端子部２５０は、ホルダー部２００の正面壁部２０２に、第１と第２のカートリッジ１００ａ，１００ｂの回路基板１３０と対応する傾斜角を有する状態で、レバー部２３０とは独立して固定されている。
【００７３】
［ホルダー部に対するカートリッジの装着機構］
図１９，図２０は、ホルダー部２００に対する第１のカートリッジ１００ａの装着過程を時系列で示す概略図である。図１９，図２０の（ａ）〜（ｅ）欄には、ホルダー部２００に対して第１のカートリッジ１００ａが装着されるときの様子が段階的に示されている。図１９，図２０では、便宜上、ホルダー部２００の第１側面壁部２０４の図示が省略されている。図１９，図２０では、ホルダー部２００と第１のカートリッジ１００ａとが接触している位置を示す矢印ＣＰを適宜図示してある。ホルダー部２００に対する第２にカートリッジ１００ｂの装着過程は、第１のカートリッジ１００ａとほぼ同じであるため、その図示および説明は省略する。
【００７４】
第１段階（図１９の（ａ）欄）では、第１のカートリッジ１００ａは、第３壁部１０３側が下方になる傾斜した状態でホルダー部２００に接近する。そして、第３壁部１０３の上端部と、ホルダー部２００の背面壁部２０３の上端部とが接触するとともに、第５壁部１０５および第６壁部１０６の後方端部の第１リブ１４１の下端が第１副壁部２２１の上端部に接触する。
【００７５】
第２段階（図１９の（ｂ）欄）では、ホルダー部２００の背面壁部２０３の上端部と第１のカートリッジ１００ａの第３壁部１０３の上端部との接触点を支点として、第１のカートリッジ１００ａが下方に向かって回転移動する（矢印ＲＤ）。このとき、第１リブ１４１の下端は第１副壁部２２１の傾斜部２２５の上面を摺擦しつつ移動し始め、第２リブ１４２の下端が第１副壁部２２１の切欠部２２６の上端に接触する。なお、本明細書において「摺擦」とは、他の物体に接触した状態で摩擦が生じる方向に相対的に移動することを意味する。
【００７６】
第３段階（図２０の（ｃ）欄）では、第１のカートリッジ１００ａの主係合部１２０がホルダー部２００のレバー部２３０と接触する。より具体的には、主係合部１２０の第１側壁部１２５と第２側壁部１２６の前方側の端面１２７がレバー部２３０の架橋部２３２における平板部２３６の端面２３７の離間した２点において面接触する。この２点が第１被押圧部と第２被押圧部に相当する。また、この段階では、第１のカートリッジ１００ａの第３壁部１０３の下端に設けられている複数の突起部１１４がホルダー部２００の対応する嵌合穴２２７へ挿通される。これ以降、第１のカートリッジ１００ａは突起部１１４と嵌合穴２２７との接触点を支点として回転移動する。
【００７７】
第４段階（図２０の（ｄ）欄）では、第１のカートリッジ１００ａの回転移動が継続されることによって、主係合部１２０は下方へと移動する。レバー部２３０の架橋部２３２は主係合部１２０の第１側壁部１２５と第２側壁部１２６の端面１２７に押圧されて主係合部１２０から離れる方向である前方に移動する（矢印ＳＤ）。本明細書において、「離れる方向へ移動する」と言うときは、対象物から実際に離間するように移動する場合だけでなく、当該対象物との距離を保持したまま当該対象物とは反対の方向へと移動する場合を含む。このように、本実施形態の第１のカートリッジ１００ａでは、レバー部２３０が主係合部１２０に押されて回転移動されるため、ユーザーの指先によるレバー部２３０の回転移動操作を省略することができる。
【００７８】
また、第４段階では、第１のカートリッジ１００ａの回路基板１３０の端子部１３１における各端子１５１〜１５９（図９）がホルダー部２００の装置側端子部２５０の複数の端子２５１のうちの対応するひとつと接触する。第１のカートリッジ１００ａの下方への移動に伴って、第１のカートリッジ１００ａの各端子１５１〜１５９の接触部ＣＰはホルダー部２００の対応する端子２５１の表面を摺擦する。この摺擦によって、端子における接触部ＣＰの表面の汚れなどの付着物が除去されるため、端子間の電気的接触性が高められる。
【００７９】
第５段階（図２０の（ｅ）欄）では、第１のカートリッジ１００ａの回転移動が完了し、第１壁部１０１はホルダー部２００の底面壁部２０１に支持される。このとき、第２リブ１４２の下端は、第１副壁部２２１の切欠部２２６の下端まで到達してその位置が固定される。第１のカートリッジ１００ａの第３壁部１０３の下端に設けられている複数の突起部１１４はホルダー部２００の対応する嵌合穴２２７に挿通された状態であり、第１のカートリッジ１００ａをホルダー部２００に係止する係合部として機能する。
【００８０】
加えて、第５段階では、主係合部１２０が最も下方の位置に移動したことによって、主係合部１２０の第１側壁部１２５および第２側壁部１２６がレバー部２３０の架橋部２３２から離れ、その押圧状態が解除される。そのため、レバー部２３０はその下端部の付勢機構によって後方側の初期位置に戻り（矢印ＲＶＤ）、その架橋部２３２が主係合部１２０の各庇部１２１，１２３の上方に移動する。これによって、各庇部１２１，１２３の上面がレバー部２３０の平板部２３６の下面と面接触し、主係合部１２０とレバー部２３０とが係合される。以上の段階を経て、第１のカートリッジ１００ａは、ホルダー部２００に装着される。
【００８１】
図２１は、主係合部１２０が有する第１側壁部１２５と第２側壁部１２６の機能を説明するための模式図である。図２１には、図２０の（ｄ）欄において説明したレバー部２３０が回転移動している状態が矢印Ｘの方向に沿った側面視によって模式的に図示されている。なお、図２１を用いた第１のカートリッジ１００ａを対象とする以下の説明は、第２のカートリッジ１００ｂについても当てはまる。第１のカートリッジ１００ａにおけるインク供給口１１０は、第２のカートリッジ１００ｂの第１のインク供給口１１０ａに対応する。
【００８２】
上述したように、ホルダー部２００に対する第１のカートリッジ１００ａの装着時には、主係合部１２０の第１側壁部１２５および第２側壁部１２６によって、後に主係合部１２０と係合するレバー部２３０の架橋部２３２が押されて前方に回転移動する。このレバー部２３０の回転移動によって、ホルダー部２００のカートリッジ収容室２１０に向かう第１のカートリッジ１００ａの移動経路（装着軌道）が確保される。このように、主係合部１２０の第１側壁部１２５および第２側壁部１２６は、ユーザーの指先によるレバー部２３０の回動操作を省略可能にする機能を有する。加えて、主係合部１２０の第１側壁部１２５および第２側壁部１２６は、以下のような機能も有する。
【００８３】
上記のレバー部２３０の回転移動は、主係合部１２０の第１側壁部１２５および第２側壁部１２６が架橋部２３２上の矢印Ｘの方向に離間している２点を押圧する操作によって行われる。このときの第１のカートリッジ１００ａの矢印Ｚの方向に沿って見たときの配置角度はその２点の接触点によって規定されることになる。仮に架橋部２３２上の１点のみに対する接触によってレバー部２３０が装着される構成である場合には、第１のカートリッジ１００ａの矢印Ｚの方向に沿って見たときの配置角度は規定されない。つまり、本実施形態の第１のカートリッジ１００ａでは、主係合部１２０の第１側壁部１２５および第２側壁部１２６は第１のカートリッジ１００ａの装着軌道を規定する機能を有する。
【００８４】
ここで、上記のようにレバー部２３０が回転移動するときに、第１のカートリッジ１００ａのインク供給口１１０がホルダー部２００のインク受入部２１１に向かう方向を「供給口接続方向」と呼ぶ。供給口接続方向は、インク供給口１１０の中心とインク受入部２１１の中心とを結ぶ方向として解釈されて良い。本実施形態では、供給口接続方向は、第１のカートリッジ１００ａの第２壁部１０２から第１壁部１０１に向かう方向として近似的に解釈されても良いし、矢印Ｚの逆方向として近似的に解釈されても良い。
【００８５】
主係合部１２０の第１側壁部１２５および第２側壁部１２６によってレバー部２３０が回転移動するときには、供給口接続方向におけるインク供給口１１０と第１側壁部１２５および第２側壁部１２６の架橋部２３２との接触点との間の距離Ｄｐは、供給口接続方向におけるインク供給口１１０とレバー部２３０の回転移動の支点である回転軸ＲＸとの間の距離Ｄｒよりも長い。すなわち、主係合部１２０の押圧によってレバー部２３０が回転移動するときには、供給口接続方向において、各側壁部１２５，１２６の接触点は、インク供給口１１０を有する第１壁部１０１に対してレバー部２３０の回転軸ＲＸよりも遠い位置にある。
【００８６】
このように、第１のカートリッジ１００ａは、レバー部２３０の回転軸ＲＸから十分に距離がある位置においてレバー部２３０の架橋部２３２を押圧可能に構成されている。従って、ユーザーがレバー部２３０の回転移動のために第１のカートリッジ１００ａに付与する力が低減される（テコの原理）。よって、ホルダー部２００に対する第１のカートリッジ１００ａの装着操作が容易化され、その装着性が高められている。特に、本実施形態では、第３壁部１０３の上端部を支点として第１のカートリッジ１００ａを回転移動させ、第４壁部１０４の主係合部１２０をレバー部２３０に当接させてレバー部２３０を回転移動させている。そのため、テコの原理が重ねて働くことになり、ホルダー部２００に対する第１のカートリッジ１００ａの装着時にユーザーが付与する力がさらに低減されている。
【００８７】
図２２は、第１のカートリッジ１００ａにおける主係合部１２０と回路基板１３０との位置関係を示す概略図である。図２２には、第４壁部１０４に正対して第１のカートリッジ１００ａを見たときの主係合部１２０と回路基板１３０との位置関係が模式的に図示されている。図２２を用いた第１のカートリッジ１００ａを対象としてする以下の説明は、第２のカートリッジ１００ｂについても当てはまる。
【００８８】
第１のカートリッジ１００ａでは、回路基板１３０における端子配列方向（矢印Ｘの方向）における第１側壁部１２５と第２側壁部１２６との間の距離ＷＥは、第１の端子１５１の接触部ＣＰと第２の端子１５２の接触部ＣＰとの間の間隔である距離ＷＴよりも大きい（ＷＥ＞ＷＴ）。距離ＷＥは端子配列方向における第１側壁部１２５と第２側壁部１２６の中心線間の距離であり、距離ＷＴは端子配列方向における第１と第２の端子１５１，１５２の接触部ＣＰの中心線間の距離である。距離ＷＥ，ＷＴが上記関係を有していれば、ホルダー部２００に対する装着過程において第１のカートリッジ１００ａが規定の配置角度から傾斜していても、第１と第２の端子１５１，１５２の接触部ＣＰの規定位置からの位置ずれ量は、各側壁部１２５，１２６の位置ずれ量よりも低減される。よって、第１と第２の端子１５１，１５２の接触不良の発生が抑制される。また、これに伴って、他の端子１５３〜１５９の電気的接続性も確保される。
【００８９】
本実施形態の第１のカートリッジ１００ａでは、第５壁部１０５から第１の端子１５１の接触部ＣＰまでの距離より、第５壁部１０５から第１側壁部１２５までの距離が短い。また、第６壁部１０６から第２の端子１５２の接触部ＣＰまでの距離より、第６壁部１０６から第２側壁部１２６までの距離が短い。すなわち、矢印Ｘの方向において、第１と第２の端子１５１，１５２の接触部ＣＰは、第１側壁部１２５と第２側壁部１２６よりも中央側の領域に配置されている。特に、本実施形態の第１のカートリッジ１００ａでは、矢印Ｘの方向における第１側壁部１２５と第２側壁部１２６の間の中心位置は、第１と第２の端子１５１，１５２の接触部ＣＰの間の中心位置と一致している。従って、第１と第２の端子１５１，１５２の接触部ＣＰの規定位置からの位置ずれの発生がさらに低減されている。
【００９０】
加えて、本実施形態では、第１と第２の端子１５１，１５２の接触部ＣＰが第１側壁部１２５と第２側壁部１２６に挟まれる位置に配置されている。第１側壁部１２５と第２側壁部１２６は、矢印Ｙの方向において、第１と第２の端子１５１，１５２の接触部ＣＰよりも突出している。従って、第１と第２の端子１５１，１５２の接触部ＣＰにユーザーの指先が接触してしまうことや、第１のカートリッジ１００ａが落下してしまったときに第１と第２の端子１５１，１５２の接触部ＣＰが落下面と直接的に衝突してしまうことが抑制される。特に本実施形態の第１のカートリッジ１００ａでは、回路基板１３０の上方に、回路基板１３０の各端子１５１〜１５９の接触部ＣＰよりも正面側に延出している第１庇部１２１および第２庇部１２３が設けられている。すなわち、本実施形態では、回路基板１３０は三方向に配置された壁部によってその保護性が高められている。
【００９１】
図２３は、第１側壁部１２５および第２側壁部１２６とインク供給口１１０との位置関係を示す概略図である。図２３の（ａ）欄には矢印Ｙの逆方向に平面視したときの第４壁部１０４が模式的に図示されており、（ｂ）欄には矢印Ｚの方向に平面視したときの第１壁部１０１が上段の第４壁部１０４と対応するように模式的に図示されている。図２３を用いた第１のカートリッジ１００ａのインク供給口１１０を対象としてする以下の説明は、第２のカートリッジ１００ｂの第１のインク供給口１１０ａについても当てはまる。
【００９２】
第１のカートリッジ１００ａでは、矢印Ｚの方向に平面視したときのインク供給口１１０の中心ＯＣから第１の端子１５１の接触部ＣＰまでの距離Ｄａは、インク供給口１１０の中心ＯＣから主係合部１２０の第１側壁部１２５までの距離Ｄｂより短い。また、インク供給口１１０の中心ＯＣから第２の端子１５２の接触部ＣＰまでの距離Ｄｃは、インク供給口１１０の中心ＯＣから主係合部１２０の第２側壁部１２６までの距離Ｄｄより短い。
【００９３】
このように、第１のカートリッジ１００ａでは、矢印Ｘの方向において、第１の端子１５１の接触部ＣＰが、第１側壁部１２５とインク供給口１１０との間に位置している。また、第２の端子１５２の接触部ＣＰは、矢印Ｘの方向において、インク供給口１１０と第２側壁部１２６との間に位置している。これによって、ホルダー部２００に対する第１のカートリッジ１００ａの装着時には、第１側壁部１２５とインク供給口１１０の位置によって第１の端子１５１の接触部ＣＰの位置が規定されることになる。また、第２側壁部１２６とインク供給口１１０の位置によって第２の端子１５２の接触部ＣＰの位置が規定されることになる。従って、インク供給口１１０が正しくインク受入部２１１に接続されたときの第１と第２の端子１５１，１５２の接触部ＣＰの位置ずれが抑制され、その電気的接続性が高められる。また、第１のインクカートリッジ１００ａの装着状態の検出精度が高められる。
【００９４】
加えて、本実施形態の第１のカートリッジ１００ａでは、第１側壁部１２５と第２側壁部１２６とは主係合部１２０の各庇部１２１，１２３に設けられている。上記の２つの距離Ｄｂ，Ｄｄは、インク供給口１１０の中心ＯＣから主係合部１２０における係合部位までの距離に相当する。本実施形態の第１のカートリッジ１００ａでは、主係合部１２０とレバー部２３０との係合によって第１のカートリッジ１００ａに働く力は、インク供給口１１０において、テコの原理により、距離Ｄｂ，Ｄｄに応じた力に増大される。よって、インク供給口１１０の接続性が高められる。
【００９５】
特に、本実施形態の第１のカートリッジ１００ａは、上述したように、第３壁部１０３の上端部とホルダー部２００の背面壁部２０３との接触点を支点とする回転移動によってホルダー部２００に装着される（図１９，図２０）。この装着過程においては、第４壁部１０４を下方に移動させるときに第１のカートリッジ１００ａに付与される外力が、テコの原理によって、インク供給口１１０をインク受入部２１１に押しつける方向の力として増大される。よって、インク供給口１１０の接続性が、さらに高められる。
【００９６】
以上のように、本実施形態の第１と第２のカートリッジ１００ａ，１００ｂによれば、第１側壁部１２５および第２側壁部１２６を有していることによって、印刷装置１０のホルダー部２００に対する装着性が高められている。また、第１と第２のカートリッジ１００ａ，１００ｂのホルダー部２００に対する着脱の際の操作性が高められている。
【００９７】
B．第２実施形態：
図２４は、本発明の第２実施形態としての第１のカートリッジ１００ａＡを矢印Ｘの方向に沿って見たときの概略側面図である。第２実施形態のカートリッジ１００ａＡでは、主係合部１２０が有する第１側壁部１２５Ａおよび第２側壁部１２６Ａの形状が異なっている点以外は、第１実施形態の第１のカートリッジ１００ａとほぼ同じである。第２実施形態の第１のカートリッジ１００ａＡは、第１実施形態で説明した印刷装置１０（図１，図２）のホルダー部２００（図１４〜図１６）に、第２のカートリッジ１００ｂＡとともに着脱可能に装着される。第２実施形態における第２のカートリッジ１００ｂＡの構成は、第１のカートリッジ１００ａＡと同様な第１側壁部１２５Ａおよび第２側壁部１２６Ａを有する点以外は、第１実施形態の第２のカートリッジ１００ｂと同様である。第２実施形態における第２のカートリッジ１００ｂＡの図示および詳細な説明は省略する。
【００９８】
第２実施形態の第１側壁部１２５Ａおよび第２側壁部１２６Ａはその端面１２７Ａが平面ではなく、曲面として構成されている。この構成であっても、ホルダー部２００に対する第１と第２のカートリッジ１００ａＡ，１００ｂＡの装着時には、第１側壁部１２５Ａおよび第２側壁部１２６Ａによって第１と第２のカートリッジ１００ａＡ，１００ｂＡの配置角度が規定される。また、第１側壁部１２５Ａおよび第２側壁部１２６Ａによって、ホルダー部２００のレバー部２３０を容易に回転移動させることができる。この他にも、第２実施形態の第１と第２のカートリッジ１００ａＡ，１００ｂＡであれば、第１実施形態の第１と第２のカートリッジ１００ａ，１００ｂと同様な作用効果を奏することができる。
【００９９】
C．第３実施形態：
図２５は、本発明の第３実施形態としての第１のカートリッジ１００ａＢを矢印Ｙの方向に沿って正面側から見たときの概略図である。図２５は、主係合部１２０Ａから分離している第１側壁部１２５Ｂおよび第２側壁部１２６Ｂが図示されている点以外は、図２２とほぼ同じである。第３実施形態の第１のカートリッジ１００ａＢの構成は、以下に説明する点以外は、第１実施形態の第１のカートリッジ１００ａとほぼ同じである。第３実施形態の第１のカートリッジ１００ａＢは、第１実施形態で説明した印刷装置１０（図１，図２）のホルダー部２００（図１４〜１００ｃ図１６）に、第２のカートリッジ１００ｂＢとともに着脱可能に装着される。第３実施形態における第２のカートリッジ１００ｂＢの構成は、第１のカートリッジ１００ａＢと同様な主係合部１２０Ｂと第１側壁部１２５Ｂおよび第２側壁部１２６Ｂを有する点以外は、第１実施形態の第２のカートリッジ１００ｂと同様である。第３実施形態における第２のカートリッジ１００ｂＢの図示および詳細な説明は省略する。
【０１００】
第３実施形態における第１のカートリッジ１００ａＢの第４壁部１０４Ｂには、回路基板１３０の両脇に第１側壁部１２５Ｂと第２側壁部１２６Ｂが設けられている。第１側壁部１２５Ｂと第２側壁部１２６Ｂとは、主係合部１２０Ｂの庇部１２１，１２３とは連結されておらず、第４壁部１０４の壁面から突起している壁部として構成されている点以外は、第１実施形態の第１側壁部１２５と第２側壁部１２６と同様な構成を有している。第３実施形態の第１のカートリッジ１００ａＢの主係合部１２０Ｂでは、第１庇部１２１および第２庇部１２３が略平板状に構成されており、第１側壁部１２５Ｂおよび第２側壁部１２６Ｂから離間した位置に配置されている。
【０１０１】
第３実施形態の構成であっても、ホルダー部２００に対する第１と第２のカートリッジ１００ａＢ，１００ｂＢの装着時には、第１側壁部１２５Ｂおよび第２側壁部１２６Ｂによって第１と第２のカートリッジ１００ａＢ，１００ｂＢの配置角度が規定される。また、第１側壁部１２５Ｂおよび第２側壁部１２６Ｂによって、ホルダー部２００のレバー部２３０を容易に回転移動させることができる。加えて、回路基板１３０が第１側壁部１２５Ｂおよび第２側壁部１２６Ｂによって保護される。この他にも、第３実施形態の第１と第２のカートリッジ１００ａＢ，１００ｂＢであれば、第１実施形態の第１と第２のカートリッジ１００ａ，１００ｂと同様な作用効果を奏することができる。
【０１０２】
D．第４実施形態：
図２６は本発明の第４実施形態としてのカートリッジ１００Ｃの構成を示す概略図である。図２６では第１実施形態で説明した構成部と共通する構成部には同じ符号を付してある。第４実施形態のカートリッジ１００Ｃは、第１実施形態で説明したホルダー部２００（図１４〜図１６）を介して印刷装置１０のキャリッジ２７（図２）に着脱可能に装着される。第４実施形態のカートリッジ１００Ｃは、インク収容部３００と、アダプター部３１０と、を有する。インク収容部３００は、内部にインクを収容するためのインク室を有する液体容器である。インク収容部３００の下面には、アダプター部３１０のインク供給口１１０に接続するインク排出口３０１が設けられている。
【０１０３】
アダプター部３１０は、インク収容部３００を上方の開口部３１２から収容可能に構成されている外装容器である。アダプター部３１０は、第１実施形態の第１のカートリッジ１００ａにおける第２壁部１０２以外の壁部を有している。アダプター部３１０は、第１実施形態の第１のカートリッジ１００ａにおける第１壁部１０１と第３壁部１０３と第４壁部１０４と第５壁部１０５と第６壁部１０６のそれぞれと同様な構成を有する壁部を有している。アダプター部３１０の底面の第１壁部１０１には第１実施形態の第１のカートリッジ１００ａと同様なインク供給口１１０が設けられている。正面壁部である第４壁部１０４には第１実施形態で説明したのと同様な主係合部１２０と回路基板１３０とが配置されている。
【０１０４】
第４実施形態のカートリッジ１００Ｃは、インク収容部３００がアダプター部３１０を介してホルダー部２００に装着されることによって、印刷装置１０にインクを供給することが可能である。第４実施形態のカートリッジ１００Ｃであっても、ホルダー部２００のレバー部２３０を押圧する第１側壁部１２５および第２側壁部１２６がアダプター部３１０に設けられているため、印刷装置１０に対する装着性が高められている。このように、第４実施形態のカートリッジ１００Ｃであっても、第１実施形態の第１と第２のカートリッジ１００ａ，１００ｂと同様な作用効果を奏することができる。
【０１０５】
E．第５実施形態：
図２７は本発明の第５実施形態としての液体供給ユニット３３０の構成を示す概略図である。図２７では第１実施形態で説明した構成部と共通する構成部には同じ符号を付してある。第５実施形態の液体供給ユニット３３０は、第１実施形態で説明した印刷装置１０（図１，図２）に着脱可能に装着され、印刷装置１０のキャリッジ２７にインクを供給する。第４実施形態の液体供給ユニット３３０は、アダプター部３１０と、インク供給管３３１と、インク収容部３３２と、を備える。
【０１０６】
アダプター部３１０は、第４実施形態で説明したアダプター部３１０と同じであり、正面の第４壁部１０４に主係合部１２０と回路基板１３０とが設けられ、底面の第１壁部１０１にインク供給口１１０が設けられている。インク収容部３３２は、内部にインクを収容するためのインク室を有する液体容器である。インク収容部３３２のインク室は、インク供給管３３１を介してアダプター部３１０のインク供給口１１０に接続されている。第４実施形態の液体供給ユニット３３０であっても、主係合部１２０が有する第１側壁部１２５と第２側壁部１２６によって、アダプター部３１０の印刷装置１０に対する装着性が高められている。このように、第５実施形態の液体供給ユニット３３０であっても、第１実施形態の第１と第２のカートリッジ１００ａ，１００ｂと同様な作用効果を奏することができる。
【０１０７】
F．変形例：
F1．変形例１：
上記第１実施形態では、第１側壁部１２５および第２側壁部１２６は第４壁部１０４において回路基板１３０の両脇に設けられている。これに対して、第１側壁部１２５および第２側壁部１２６は第４壁部１０４以外の壁部に設けられていても良く、回路基板１３０の両脇以外の位置に設けられていても良い。例えば、第１側壁部１２５および第２側壁部１２６は、第１と第２のカートリッジ１００ａ，１００ｂにおいて、第５壁部１０５と第６壁部１０６のそれぞれに分離して設けられていても良い。また、第１と第２のカートリッジ１００ａ，１００ｂにおいて、第１側壁部１２５および第２側壁部１２６を第１実施形態と同様な位置に設け、回路基板１３０を第１壁部１０１や第３壁部１０３に設けても良い。なお、この場合において、回路基板１３０の第１と第２の端子部１５１，１５２の位置は、インク供給口１１０の中心ＯＣの位置とは無関係に決定されても良い。
【０１０８】
F2．変形例２：
上記第１実施形態の第１と第２のカートリッジ１００ａ，１００ｂには、第１側壁部１２５および第２側壁部１２６が、ホルダー部２００のレバー部２３０を押圧する第１押圧部および第２押圧部として設けられている。これに対して、第１と第２のカートリッジ１００ａ，１００ｂには第１側壁部１２５および第２側壁部１２６以外の構成によって、ホルダー部２００のレバー部２３０を押圧する第１押圧部および第２押圧部が設けられていても良い。第１押圧部および第２押圧部は、例えば、第４壁部から矢印Ｙの方向に突出する棒状部材によって構成されても良い。第１押圧部および第２押圧部は、壁面から突出するように構成されていなくても良く、壁面の凹部として構成されていても良い。この場合には、ホルダー部２００の回転機構が第１押圧部および第２押圧部に接触可能な突出部を有していれば良い。また、第１押圧部および第２押圧部は、横方向（矢印Ｘの方向）に配列されていなくても良く、例えば、矢印Ｘの方向に対して傾斜角を有して配列されていても良い。第１押圧部および第２押圧部は、ホルダー部２００の主係合部１２０とは異なる壁部に設けられても良い。
【０１０９】
F3．変形例３：
上記第１実施形態では、第１と第２のカートリッジ１００ａ，１００ｂは略直方体形状を有するインク容器として構成されており、６つの壁部１０１〜１０６を有している。これに対して、第１と第２のカートリッジ１００ａ，１００ｂは略直方体形状を有していなくても良く、６つの壁部１０１〜１０６の全てを有していなくても良い。第１と第２のカートリッジ１００ａ，１００ｂは例えば、矢印Ｘの方向に見たときに（側面視したときに）、略台形形状を有する６面体として構成されていても良いし、側面視したときに略楕円形状を有する略円板体として構成されても良い。第１と第２のカートリッジ１００ａ，１００ｂの外形を構成する各壁部１０１〜１０６は平坦な表面や平滑な表面を有していなくても良く、凹凸を有していても良い。また、略平面状に延在していなくても良く、切れ目や裂け目があっても良い。各壁部１０１〜１０６は略曲面状に曲がっていても良い。加えて、各壁部１０１〜１０６は可撓性を有していても良く、フレームで構成された枠内にインクが収容された袋状部材が保持されている構成であっても良い。
【０１１０】
F4．変形例４：
上記第１実施形態では、ホルダー部２００の回転機構であるレバー部２３０は、第１と第２のカートリッジ１００ａ，１００ｂの主係合部１２０に対する被係合部としての機能を有している。これに対して、ホルダー部２００のレバー部２３０は、第１と第２のカートリッジ１００ａ，１００ｂの主係合部１２０に対する被係合部としての機能を有していなくても良い。ホルダー部２００のレバー部２３０は、第１と第２のカートリッジ１００ａ，１００ｂの装着時に、第１側壁部１２５と第２側壁部１２６とに押圧されて回転移動した後、初期位置に戻ることなく回転移動後の位置において留まっていても良い。このような構成であっても、ホルダー部２００のレバー部２３０を基準として、第１と第２のカートリッジ１００ａ，１００ｂの装着時の配置角度が規定される。
【０１１１】
F5．変形例５：
上記第１実施形態では、ホルダー部２００の回転機構であるレバー部２３０は、２つの脚部２３１と、架橋部２３２とを有している。これに対して、レバー部２３０は、他の構成を有していても良い。例えば、架橋部２３２が省略されて２つの脚部２３１がそれぞれに独立して回転移動する構成であっても良い。また、上記第１実施形態では、ホルダー部２００のレバー部２３０は付勢機構によって付勢されている。これに対して、レバー部２３０は付勢されていなくても良い。この場合には、レバー部２３０は、第１側壁部１２５および第２側壁部１２６に押圧されて回転移動した後に、ユーザーの指先の操作によって初期位置に戻されても良い。
【０１１２】
F6．変形例６：
上記第１実施形態では、第１と第２のカートリッジ１００ａ，１００ｂの主係合部１２０がレバー部２３０と係合しているときには、第１側壁部１２５と第２側壁部１２６とはレバー部２３０と接触しておらず、レバー部２３０に対する押圧状態が解除されている。これに対して、第１側壁部１２５と第２側壁部１２６とは第１と第２のカートリッジ１００ａ，１００ｂの主係合部１２０がレバー部２３０と係合しているときにもレバー部２３０と接触して押圧状態が継続されていても良い。なお、本明細書において、「押圧状態が解除されている」状態とは、対象物に対して押圧によって付与していた外力がほとんどなくなっている状態を意味しており、当該対象物との接触状態が保持されたままの状態であっても良い。
【０１１３】
F7．変形例７：
上記第１実施形態では、矢印Ｘの方向における第１側壁部１２５と第２側壁部１２６との間の距離ＷＥは、矢印Ｘの方向における第１と第２の端子１５１，１５２の接触部ＣＰの間の距離ＷＴよりも大きく構成されている（図２２）。これに対して、矢印Ｘの方向における第１側壁部１２５と第２側壁部１２６との間の距離ＷＥは、矢印Ｘの方向における第１と第２の端子１５１，１５２の接触部ＣＰの間の距離ＷＴよりも小さく構成されていても良い。
【０１１４】
F8．変形例８：
上記第１実施形態では、第２壁部１０２を構成している蓋体から延在している延在部１１３が主係合部１２０の背面側まで延びて主係合部１２０の一部を構成している。延在部１１３は主係合部１２０と一体化されて第１側壁部１２５および第２側壁部１２６を構成していても良い。
【０１１５】
F9．変形例９：
上記第１実施形態では、第１と第２の端子１５１，１５２は、ホルダー部２００に対する第１と第２のカートリッジ１００ａ，１００ｂの装着状態の検出に用いられている。これに対して、第１と第２の端子１５１，１５２は、第１と第２のカートリッジ１００ａ，１００ｂの装着状態の検出以外の用途に用いられても良い。例えば、第１と第２の端子１５１，１５２は、電源端子や接地端子として用いられても良いし、データ信号の通信に用いられても良い。また、上記第１実施形態の回路基板１３０においては、第１と第２の端子１５１，１５２以外の端子１５３〜１５９が省略されても良い。この場合においても、第１と第２の端子１５１，１５２は、第１と第２のカートリッジ１００ａ，１００ｂの装着状態の検出以外の用途に用いられても良い。
【０１１６】
F10．変形例１０：
上記第１実施形態では、第１と第２のカートリッジ１００ａ，１００ｂは、ホルダー部２００に対して、第３壁部１０３の上端部を支点とする回転移動の軌跡を描いて装着されている（図１９，図２０）。これに対して、第１と第２のカートリッジ１００ａ，１００ｂは、第３壁部１０３の上端部を支点とする回転移動の軌跡を描いて装着されるように構成されていなくても良い。第１と第２のカートリッジ１００ａ，１００ｂは、ホルダー部２００の上方から直線的な軌道によってホルダー部２００に装着されても良い。
【０１１７】
F11．変形例１１：
上記第１実施形態では、第１と第２のカートリッジ１００ａ，１００ｂのインク供給口１１０，１１０ａ〜１１０ｃは、ホルダー部２００において第１と第２のカートリッジ１００ａ，１００ｂが載置される底面壁部２０１に対向する第１壁部１０１に設けられている。これに対して、インク供給口１１０，１１０ａ〜１１０ｃは、他の壁部に設けられても良い。インク供給口１１０，１１０ａ〜１１０ｃは、少なくとも、ホルダー部２００に対する第１と第２のカートリッジ１００ａ，１００ｂの装着時に、供給口接続方向におけるインク供給口１１０，１１０ａと第１側壁部１２５と第２側壁部１２６との間の距離が、供給口接続方向におけるインク供給口１１０，１１０ａとレバー部２３０の回転軸ＲＸとの間の距離より長い状態になる位置に設けられていれば良い。
【０１１８】
F12．変形例１２：
上記第１実施形態では、第１と第２のカートリッジ１００ａ，１００ｂは印刷装置１０と電気的に接続される回路基板１３０を備えている。第１と第２のカートリッジ１００ａ，１００ｂにおいて、回路基板１３０は必須ではなく、省略されても良い。
【０１１９】
F13．変形例１３：
上記第１実施形態では、印刷装置１０には第１と第２のカートリッジ１００ａ，１００ｂが装着されている。これに対して、印刷装置１０には第１と第２のカートリッジ１００ａ，１００ｂを合体させた単一のカートリッジが装着されても良い。あるいは、印刷装置１０には、第１のカートリッジ１００ａのような単一のインク室を有するカートリッジが複数装着されても良い。また、印刷装置１０には、第２のカートリッジ１００ｂのような複数のインク室を有するカートリッジが複数装着されても良い。
【０１２０】
F14．変形例１４：
上記第１実施形態における第１と第２のインクカートリッジ１００ａ，１００ｂの回路基板１３０では、複数の端子１５１〜１５９のそれぞれの接触部ＣＰが上段と下段の二列に分けられて矢印Ｘの方向に平行な配列方向に配列されている。これに対して、回路基板１３０では各端子１５１〜１５９の全ての接触部ＣＰが所定の配列方向に配列されていなくても良い。回路基板１３０では、各端子１５１〜１５９の接触部ＣＰのうちの少なくとも第１と第２の端子１５１，１５２の接触部ＣＰが１つの所定の配列方向に配列されていれば良い。この場合において、所定の配列方向は、矢印Ｘの方向に平行な方向でなくても良く、矢印Ｘの方向に対して傾斜した方向であっても良い。上記第１実施形態では、各端子１５１〜１５９はそれぞれの接触部ＣＰの配列構成と同様な配列構成を有している。これに対して、各端子１５１〜１５９はそれぞれの接触部ＣＰの配列構成と同様な配列構成を有していなくても良い。例えば、各接触部ＣＰが隣り合うもの同士が直線状に配列されている配列構成を有しているのに対して、各端子１５１〜１５９は隣り合うもの同士が上下にオフセットして配置されている配列構成を有していても良い。上記第１実施形態では各端子１５１〜１５９のそれぞれのほぼ中央の位置に接触部ＣＰが設けられている。これに対して、各端子１５１〜１５９のそれぞれの接触部ＣＰは各端子１５１〜１５９においてそれぞれ側端部に寄った位置や角部の近傍位置などの異なる位置に設けられても良い。各端子１５１〜１５９は略長方形形状に限らず、種々の形状を有していて良い。
【０１２１】
F15．変形例１５：
上記各実施形態および変形例では、本発明の液体供給ユニットとして、インクを吐出する液体噴射機構を備える印刷装置１０に装着される第１と第２のカートリッジ１００ａ，１００ｂなどのインクの供給ユニットが説明されている。これに対して、本発明の液体供給ユニットは、インクの供給ユニット以外のユニットとして構成されても良い。本発明の液体供給ユニットは、例えば、水などの液体を洗浄対象に噴射して洗浄する高圧洗浄機に装着されて水を供給する水の供給ユニットとして構成されても良い。
【０１２２】
F16．変形例１６：
上記第１実施形態において説明されているように第１と第２の端子１５１，１５２と、第５と第６の端子１５５，１５６とは同様な機能を有している。上記各実施形態および変形例における第１と第２の端子１５１，１５２と、第１と第２のインクカートリッジ１００ａ，１００ｂやホルダー部２００における他の構成要素と、の関係についての説明は、第１と第２の端子１５１，１５２を第５と第６の端子１５５，１５６に置き換えて解釈することも可能である。すなわち、第５と第６の端子１５５，１５６がそれぞれ第１接触部を有する第１検出端子および第２接触部を有する第２検出端子に相当すると読み替えて解釈することが可能である。このように置換した構成であっても、第１実施形態で説明したのと同様な作用効果を奏することが可能である。
【０１２３】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【０１２４】
１０…印刷装置
１１…筐体
１２…給紙口
１３…上面カバー
１４…排紙口
１６…操作部
２０…本体部
２１…制御部
２２…搬送部
２３…印刷部
２５…搬送ローラー
２７…キャリッジ
２８…ガイドレール
１００ａ，１００ｂ，１００ａＡ，１００ｂＡ，１００ａＢ，１００ｂＢ，１００Ｃ…カートリッジ
１０１〜１０６…壁部
１０２ｃ…蓋体
１０８，１０８ａ〜１０８ｃ…インク室
１１０，１１０ａ〜１１０ｃ…インク供給口
１１３…延在部
１１４…突起部
１１５…貫通孔
１１６…空気流路溝
１１７…シール部材
１１８…溝部
１２０，１２０Ａ…主係合部
１２１…第１庇部
１２２…切欠部
１２３…第２庇部
１２５…第１側壁部
１２６…第２側壁部
１２７…端面
１３０…回路基板
１３１…端子部
１３２…記憶装置
１５１〜１５９…端子
２００…ホルダー部
２０１〜２０５…壁部
２１０…カートリッジ収容室
２１１〜２１４…インク受入部
２１５…シール部
２１７…付勢機構
２２１…第１副壁部
２２４…第２副壁部
２２５…傾斜部
２２６…切欠部
２２７…嵌合穴
２３０…レバー部
２３１…脚部
２３２…架橋部
２３５…凸部
２３６…平板部
２３７…端面
２５０…装置側端子部
３００…インク収容部
３０１…インク排出口
３１０…アダプター部
３１２…開口部
３３０…インク供給ユニット
３３１…インク供給管
３３２…インク収容室
ＣＰ…接触部
【図１】
2018027709.tif 000003
【図２】
2018027709.tif 000004
【図３】
2018027709.tif 000005
【図４】
2018027709.tif 000006
【図５】
2018027709.tif 000007
【図６】
2018027709.tif 000008
【図７】
2018027709.tif 000009
【図８】
2018027709.tif 000010
【図９】
2018027709.tif 000011
【図１０】
2018027709.tif 000012
【図１１】
2018027709.tif 000013
【図１２】
2018027709.tif 000014
【図１３】
2018027709.tif 000015
【図１４】
2018027709.tif 000016
【図１５】
2018027709.tif 000017
【図１６】
2018027709.tif 000018
【図１７】
2018027709.tif 000019
【図１８】
2018027709.tif 000020
【図１９】
2018027709.tif 000021
【図２０】
2018027709.tif 000022
【図２１】
2018027709.tif 000023
【図２２】
2018027709.tif 000024
【図２３】
2018027709.tif 000025
【図２４】
2018027709.tif 000026
【図２５】
2018027709.tif 000027
【図２６】
2018027709.tif 000028
【図２７】
2018027709.tif 000029
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
装置側端子部と、液体導入管と、を有する液体噴射装置に対して装着可能な液体供給ユニットであって、
互いに直交する三方向をＸ方向、Ｙ方向、Ｚ方向とするとき、
前記液体供給ユニットが前記液体噴射装置に装着された装着状態において、前記液体導入管と接続される液体供給口が設けられた第１壁部と、
前記第１壁部と前記Ｚ方向において対向する第２壁部と、
前記第１壁部と前記第２壁部とに交差する第３壁部と、
前記第１壁部と前記第２壁部とに交差し、前記第３壁部と前記Ｙ方向において対向する第４壁部と、
前記第４壁部上において、前記第２壁部から前記第１壁部に向かう方向に向くように、前記Ｚ方向に対して傾斜して設けられた回路基板と、
前記回路基板の表面上に設けられ、前記装着状態において、前記装置側端子部と接触する複数の端子と、
前記Ｘ方向において、前記回路基板を挟むように設けられた第１側壁部と第２側壁部と、
を備え、
前記第１側壁部と前記第２側壁部とは、前記回路基板よりも前記第４壁部から突出している、液体供給ユニット。
【請求項２】
請求項１記載の液体供給ユニットであって、
前記回路基板に対して、前記第１壁部から前記第２壁部に向かう方向側に位置し、前記回路基板の表面よりも前記第４壁部から突出している庇部が設けられている、液体供給ユニット。
【請求項３】
請求項２記載の液体供給ユニットであって、
前記第１側壁部と前記第２側壁部とは、前記第２壁部から前記第１壁部に向かう方向に見たときに、前記庇部の下方に設けられている、液体供給ユニット。
【請求項４】
請求項２または請求項３記載の液体供給ユニットであって、
前記庇部は、前記装着状態において、前記液体噴射装置に回転可能に設けられている回転レバー部と係合するように構成されている、液体供給ユニット。
【請求項５】
請求項１から請求項４のいずれか一項に記載の液体供給ユニットであって、
前記第１側壁部と前記第２側壁部とは、前記液体供給ユニットを前記液体噴射装置に装着する際に、前記液体噴射装置に回転可能に設けられている回転レバー部を押圧して回転させるように構成されている、液体供給ユニット。
【手続補正２】
【補正対象書類名】明細書
【補正対象項目名】０００７
【補正方法】変更
【補正の内容】
【０００７】
本発明は、上述の課題の少なくとも一部を解決するためになされたものであり、以下の形態として実現することが可能である。
（１）第１形態は、装置側端子部と、液体導入管と、を有する液体噴射装置に対して装着可能な液体供給ユニットであって；互いに直交する三方向をＸ方向、Ｙ方向、Ｚ方向とするとき；前記液体供給ユニットが前記液体噴射装置に装着された装着状態において、前記液体導入管と接続される液体供給口が設けられた第１壁部と；前記第１壁部と前記Ｚ方向において対向する第２壁部と；前記第１壁部と前記第２壁部とに交差する第３壁部と；前記第１壁部と前記第２壁部とに交差し、前記第３壁部と前記Ｙ方向において対向する第４壁部と；前記第４壁部上において、前記第２壁部から前記第１壁部に向かう方向に向くように、前記Ｚ方向に対して傾斜して設けられた回路基板と；前記回路基板の表面上に設けられ、前記装着状態において、前記装置側端子部と接触する複数の端子と；前記Ｘ方向において、前記回路基板を挟むように設けられた第１側壁部と第２側壁部と；を備え；前記第１側壁部と前記第２側壁部とは、前記回路基板よりも前記第４壁部から突出している、液体供給ユニットとして提供される。
（２）上記形態の液体供給ユニットは、前記回路基板に対して、前記第１壁部から前記第２壁部に向かう方向側に位置し、前記回路基板の表面よりも前記第４壁部から突出している庇部が設けられてよい。
（３）上記形態の液体供給ユニットにおいて、前記第１側壁部と前記第２側壁部とは、前記第２壁部から前記第１壁部に向かう方向に見たときに、前記庇部の下方に設けられてよい。
（４）上記形態の液体供給ユニットにおいて、前記庇部は、前記装着状態において、前記液体噴射装置に回転可能に設けられている回転レバー部と係合するように構成されてよい。
（５）上記形態の液体供給ユニットにおいて、前記第１側壁部と前記第２側壁部とは、前記液体供給ユニットを前記液体噴射装置に装着する際に、前記液体噴射装置に回転可能に設けられている回転レバー部を押圧して回転させるように構成されていてよい。